Podtech/llm-jp-corpus-v4-ja_patent huggingface dataset:
【手続補正書】
【提出日】平成16年5月14日(2004.5.14)
【手続補正１】
【補正対象書類名】特許請求の範囲
【補正対象項目名】全文
【補正方法】変更
【補正の内容】
【特許請求の範囲】
【請求項１】
アルコキシル化することができる少なくとも１種の有機化合物と、少なくとも１種のアルコキシル化剤とを触媒系の存在下に反応させ、その際、ポリエーテルアルコールが得られる、有機化合物のアルコキシル化法において、該触媒系が細孔を有し、かつ金属イオン少なくとも１種および該金属イオンと配位結合している少なくとも二座の有機化合物少なくとも１種とを含有する有機金属フレーム構造材料からなることを特徴とする、有機化合物のアルコキシル化法。
【請求項２】
金属イオンが、元素の周期表のＩａ、ＩＩａ、ＩＩＩａ、ＩＶａ〜ＶＩＩＩａおよびＩｂ〜ＶＩｂ族の元素のイオンから選択されている、請求項１記載の方法。
【請求項３】
二座の有機化合物が、置換されているか、または置換されていない、１つまたは複数の核を有していてよい芳香族ポリカルボン酸；および置換されているか、または置換されていない、少なくとも１つのヘテロ原子を有し、かつ１つまたは複数の核を有していてよい芳香族ポリカルボン酸から選択されている、請求項１または２記載の方法。
【請求項４】
有機金属フレーム構造材料が、吸着により測定して２０ｍ２／ｇより大きい比表面積（ＤＩＮ６６１３１によるＢＥＴ）を有する細孔を有する、請求項１から３までのいずれか１項記載の方法。
【請求項５】
アルコキシル化剤が２〜３０個の炭素原子を有する一官能性または多官能性エポキシドおよび６００ｇ／モルを超えるモル質量を有する一官能性または多官能性ポリエーテルポリオールおよびこれら２種類以上の混合物から選択される、請求項１から４までのいずれか１項記載の方法。
【請求項６】
少なくとも次の
（２）アルコキシル化することができる少なくとも１種の有機化合物を請求項１から５までのいずれか１項記載の方法により少なくとも１種のアルコキシル化剤と反応させ、その際、ポリエーテルアルコールが得られる工程、
（３）工程（２）のポリエーテルアルコールを少なくとも１種のイソシアネートと反応させる工程
を有する、ポリウレタンを製造するための統合された方法。
【請求項７】
アルコキシル化剤が、工程（１）でプロピレンと酸素、水素および酸素；過酸化水素；有機ヒドロペルオキシド；またはハロヒドリンと反応させることにより得られるプロピレンオキシドである、請求項６記載の統合された方法。
【請求項８】
少なくとも次の
（２）アルコキシル化することができる少なくとも１種の有機化合物を請求項１から５までのいずれか１項記載の方法により少なくとも１種のアルコキシル化剤と反応させ、その際、ポリエーテルアルコールが得られる工程、
（３）工程（２）のポリエーテルアルコールを少なくとも１種のイソシアネートと反応させる工程
を有する、統合された方法により得られるポリウレタン。
【請求項９】
工程（２）で得られ、かつポリウレタンの製造のための出発材料として使用されるポリエーテルアルコールが少なくともエチレンオキシド−プロピレンオキシド単位の混合されたブロックまたは末端のプロピレンオキシドブロックまたは両者の組合せを有する、請求項８記載のポリウレタン。
【請求項１０】
請求項１から７までのいずれか１項記載の統合された方法により得られるポリウレタンから出発して、または請求項８または９記載のポリウレタンから出発してポリウレタン発泡体を製造する方法において、少なくとも次の
（４）該ポリウレタンを発泡させる工程
を有する、ポリウレタン発泡体を製造する方法。
【請求項１１】
請求項１から７までのいずれか１項記載の統合された方法により、または請求項８または９記載のポリウレタンから出発して得られるポリウレタン発泡体において、前記の統合された方法が、少なくとも次の
（４）工程（３）による反応で得られたポリウレタンを発泡させる工程
を有する、ポリウレタン発泡体。
【請求項１２】
請求項１から７までのいずれか１項記載の統合された方法により得られるポリウレタンからなる成形体。
【請求項１３】
請求項８または９記載のポリウレタンからなる成形体。
【請求項１４】
請求項１０記載の方法により得られるポリウレタン発泡体からなる成形体。
【請求項１５】
請求項１１記載のポリウレタン発泡体からなる成形体。
【手続補正２】
【補正対象書類名】図面
【補正対象項目名】全図
【補正方法】変更
【補正の内容】
【図１】
2005506421.tif 000001
【図２】
2005506421.tif 000002
【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
プリント回路基板のビアおよびスルーホールをメッキする電解メッキシステムであって、
電解メッキ槽と、
前記電解メッキ槽内でプリント回路基板を位置決めする手段と、
前記プリント回路基板の各側で交互に電解液の層流を生成する手段と
を備えた電解メッキシステム。
【請求項２】
電解メッキ槽と、
前記槽の上方に位置する下部棒と、
前記下部棒に取り付けられた可撓性電流供給接続部と、
前記下部棒に取り付けられた少なくとも１つのプリント回路基板把持部と、
前記プリント回路基板に接触するＶ形受け部を有し、ベンチュリ形状の隔壁を更に有する浮動シールドと、
前記槽の下部で前記浮動シールドの下方に位置して、前記プリント回路基板にわたって電解液の層流を生成する少なくとも１つのエダクターと、
前記プリント回路基板の一方の側から前記プリント回路基板の他方の側へ前記層流を切り換える手段と
を備える、プリント回路基板のビアおよびスルーホールをメッキする電解メッキシステム。
【請求項３】
プリント回路基板を下部支持棒で支持するメッキラインと、
前記下部棒を支持する上部棒と、
前記上部棒上の振動器と、
前記上部棒を剛性構造体に取り付けるばね系と
を備えた、プリント回路基板用の電解メッキシステム。
【請求項４】
電解メッキ槽内でプリント回路基板を位置決めする工程と、
前記プリント回路基板の各側で交互に電解液の層流を生成する工程と
を含む、プリント回路基板のビアおよびスルーホールをメッキする電解メッキ方法。
【請求項５】
電解層を準備する工程と、
前記槽の上方に下部棒を位置決めする工程と、
可撓性接続部を用いて前記下部棒に電流を供給する工程と、
少なくとも１つのプリント回路基板を前記下部棒に把持する工程と、
前記プリント回路基板に接触するＶ形受け部を有し、前記プリント回路基板の下方のベンチュリ形状隔壁をさらに位置決めする浮動シールド中で、前記プリント回路基板を移動する工程と、
前記槽の下部で、前記浮動シールドの下方に配置された少なくとも１つのエダクターを用いて、前記プリント回路基板にわたって電解液の層流を生成する工程と、
前記プリント回路基板の一方の側から前記プリント回路基板の他方の側へ前記層流を切り換える工程と
を含む、プリント回路基板のビアおよびスルーホールをメッキする電解メッキ方法。
【請求項６】
メッキラインの下部支持棒でプリント回路基板を支持する工程と、
前記下部棒を上部棒で支持する工程と、
振動エネルギーを前記上部棒に供給する工程と、
ばね系を用いて前記上部棒を剛性構造体に装着する工程と
を含む、プリント回路基板の電解メッキ方法。
【手続補正書】
【提出日】平成16年7月2日(2004.7.2)
【手続補正１】
【補正対象書類名】特許請求の範囲
【補正対象項目名】全文
【補正方法】変更
【補正の内容】
【特許請求の範囲】
【請求項１】
式（Ｒ）−ＩＩ
【化１】
2005506091.tif 000001
［式中、ＲはそれぞれＣ１〜Ｃ４−アルキルを表す］の（Ｒ）−８−クロロ−６−ヒドロキシ−オクタン酸アルキルエステルの製造方法において、式Ｉの８−クロロ−６−オキソ−オクタン酸アルキルエステルを補因子の存在下にアルコールデヒドロゲナーゼまたはカルボニルレダクターゼを用いて酵素的に還元することを特徴とする、式（Ｒ）−ＩＩの（Ｒ）−８−クロロ−６−ヒドロキシ−オクタン酸アルキルエステルの製造方法。
【請求項２】
式（Ｓ）−ＩＩ
【化２】
2005506091.tif 000002
［式中、ＲはそれぞれＣ１〜Ｃ４−アルキルを表す］の（Ｓ）−８−クロロ−６−ヒドロキシ−オクタン酸アルキルエステルの製造方法において、式Ｉの８−クロロ−６−オキソ−オクタン酸アルキルエステルを補因子の存在下にアルコールデヒドロゲナーゼまたはカルボニルレダクターゼを用いて酵素的に還元することを特徴とする、式（Ｓ）−ＩＩの（Ｓ）−８−クロロ−６−ヒドロキシ−オクタン酸アルキルエステルの製造方法。
【請求項３】
テルモアナエロビウム−ブロキイからのアルコールデヒドロゲナーゼを使用する、請求項１記載の方法。
【請求項４】
ラクトバチラス−ブレビスからのアルコールデヒドロゲナーゼを使用する、請求項２記載の方法。
【請求項５】
還元の平衡を推移させる補因子再生系を酵素的還元に加える、請求項１から４までのいずれか１項記載の方法。
【手続補正書】
【提出日】平成16年11月5日(2004.11.5)
【手続補正１】
【補正対象書類名】明細書
【補正対象項目名】００２４
【補正方法】変更
【補正の内容】
【００２４】
第一管状部分２０のネジ部分４２と第二管状部分２６のネジ部分４４との周囲を、ネジ付ナット４６が包囲している。ネジ付ナット４６内には、左ネジ部分４４および右ネジ部分４２の双方に対応する相補ネジ４８が工作されている。好ましい実施態様において、相補ネジ４８は、ネジ付ナット４６内に成形される。相補ネジ４８は、ネジ付ナット４６の端から内側へとネジ付ナット４６の中心部５０の隣接位置まで延びている。相補ネジ４８は、中心部５０にて終端を有し、同終端は二つのネジ切りされた軌道（以下、ネジ軌道と称する）の端を画成している。
【手続補正２】
【補正対象書類名】明細書
【補正対象項目名】００２７
【補正方法】変更
【補正の内容】
【００２７】
ハブアセンブリユニット１０の伸張は、ネジ付ナット４６の長さに比例する。このように、ハブアセンブリユニット１０は、ネジ部分４４，４２がネジ付ナット４６から離脱するまで延長され得る。同様に、ハブアセンブリユニット１０は、ネジ付ナット４６の中心部５０内の相補ネジ４８の終端まで短縮され得る。好ましい実施態様において、引き締めネジ型の微調整機構４０は、ハブアセンブリユニット１０の長さを全体で０．５〜３ｃｍ伸長または短縮し得ることが好ましい。ハブアセンブリユニット１０は、全体で１〜２ｃｍ変位され得ることが最も好ましい。ネジ付ナット４６の一回転は、ハブアセンブリユニット１０の段階的な変位量と相関している。好ましい実施態様において、ネジ付ナット４６の一回転は、ハブアセンブリユニット１０を１〜６ｍｍだけ空間的に変位させる。
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
水晶体の遠近調節幅を増加させるための方法であって、局所的なエネルギーを治療する領域に適用することと、および薬学的に十分な量の生物学的に許容される化学物質を投与して、水晶体線維の間および／または内の化学結合を切断することと、を含む方法。
【請求項２】
請求項１に記載の方法であって、前記の局所的な適用されるエネルギーが、少なくとも１以上の熱、エネルギー、音または酵素での処理を含む方法。
【請求項３】
請求項１に記載の方法であって、前記生物学的に許容される化学物質が、グルタチオン、チオール、及びその誘導体を含む方法。
【請求項４】
水晶体および毛様筋を有するヒトの目の遠近調節の幅を増加させるための方法であって、薬学的に十分な量の生物学的に許容される還元剤を投与して、水晶体の弾性における変化に影響することと、および前記ヒトの目を適用されるエネルギーで処理することと、を含む方法。
【請求項５】
請求項4に記載の方法であって、前記生物学的に許容される還元剤が、グルタチオン、チオール、及びその誘導体からなる群から選択される方法。
【請求項６】
請求項4に記載の方法であって、前記ヒトの目を適用されるエネルギーで処理する工程を更に含む方法。
【請求項７】
請求項１に記載の方法であって、ジスルフィド結合の再形成が、予防される方法。
【請求項８】
老眼を治療および予防するための方法であって、硫化物（sulfides）を形成する水晶体線維のジスルフィド結合の形成を切断することと及び／又は予防することと、並びにそれらを水素もしくは他の因子（agents）の何れかで還元することと、を含む方法。
【請求項９】
請求項８に記載の方法であって、前記反応をエネルギーを適用することにより触媒することを更に含む方法。
【請求項１０】
請求項８に記載の方法であって、前記のジスルフィド結合を切断および／または予防することが、アルドレダクターゼ、グリオキシラーゼ、グルタチオン  S−トランスフェラーゼ、チオール  レダクターゼ、チロシン  レダクターゼ又は任意の生物学的に適切で且つ適合するレダクターゼからなる群から選択される薬剤によって触媒される方法。
【請求項１１】
老眼を治療および／または予防するための方法であって、ジスルフィド結合を切断することと、およびスルフィド結合を-CH3または任意の他の適切な分子で改質（reforming）することと、を含む方法。
【請求項１２】
請求項１１に記載の方法であって、前記のジスルフィド結合を切断および／または予防することが、エネルギーを適用することを更に含む方法。
【請求項１３】
請求項１１に記載の方法であって、前記のジスルフィド結合を切断および／または予防することが、前記ジスルフィド結合を切断することができる酵素を適用することを更に含む方法。
【請求項１４】
請求項１３に記載の方法であって、前記酵素が、S-メチル  グルタチオン, S-トランスフェラーゼを含む方法。
【請求項１５】
請求項１１に記載の方法であって、前記のジスルフィド結合の形成を切断および／または予防することが、触媒反応を促進することができる化学的な触媒を適用することを更に含む方法。
【請求項１６】
請求項15に記載の方法であって、前記化学的な触媒が、メチル−メタンチオスルナートおよびメチルグルタチオンを含む方法。
【請求項１７】
水晶体の遠近調節幅を増加させるための方法であって：  
水晶体間および／または水晶体内の線維接着を切断して、前記線維を自由にして相互に動かすことと；  
更なる水晶体間および／または水晶体内の線維接着の形成の可能性を減退させることと；および  
前記水晶体にエネルギーを適用することと、を含む方法。
【請求項１８】
請求項17に記載の方法であって、前記の水晶体間の線維接着を切断および／または予防することが、エネルギーを適用することを更に含む方法。
【請求項１９】
請求項17に記載の方法であって、水晶体間および／または水晶体内の線維接着の形成の可能性を切断および／または減退させることが、前記水晶体間および／または水晶体内の線維接着の形成の可能性を切断および／または減退させることができる酵素を適用することを更に含む方法。
【請求項２０】
請求項17に記載の方法であって、水晶体間および／または水晶体内の線維接着の形成の可能性を切断および／または減退させることが、触媒反応を促進することができる化学的な触媒を適用することを更に含む方法。
【請求項２１】
水晶体の遠近調節幅を増加させるための方法であって、処理する領域に局所的なエネルギーを適用することと、並びに薬学的に十分な量の生物学的に許容される化学物質を投与して、水晶体線維の２つの硫黄族（sulfur groups）の間の化学的結合の形成の可能性を切断および／または減退させることと、を含む方法。
【請求項２２】
ジスルフィド結合の再形成の可能性を阻止または減退させる薬剤。
【請求項２３】
水晶体の遠近調節幅を増加させるための薬学的組成物であって、チオールトランスフェラーゼ、グルタチオン、ニコチンアデニンジヌクレオチドリン酸を含み、前記組成物の遠近調節の改善効果が、エネルギーを前記組成物に適用することにより誘導または増加されるように更に適合した、薬学的組成物。
【請求項２４】
請求項23に記載の薬学的組成物であって、生体適合性の担体を更に含む薬学的組成物。
【請求項２５】
請求項23に記載の薬学的組成物であって、ウイルスファージを更に含む薬学的組成物。
【請求項２６】
請求項24に記載の薬学的組成物であって、前記組成物が、局所的に投与されるように適合された薬学的組成物。
【請求項２７】
請求項23に記載の薬学的組成物であって、前記組成物が、規則的（systematically）に投与されるように適合された薬学的組成物。
【請求項２８】
請求項23に記載の薬学的組成物であって、光反応性の化合物を更に含む薬学的組成物。
【請求項２９】
請求項28に記載の薬学的組成物であって、前記組成物が、適用されるエネルギーの導入により活性化されるように適合された薬学的組成物。
【請求項３０】
請求項23に記載の薬学的組成物であって、前記チオールトランスフェラーゼが、０〜２０重量％の量で存在する薬学的組成物。
【請求項３１】
請求項23に記載の薬学的組成物であって、前記グルタチオンが、0〜２０％の量で存在する薬学的組成物。
【請求項３２】
請求項23に記載の薬学的組成物であって、前記ニコチンアデニンジヌクレオチドリン酸が、0〜２０％の量で存在する薬学的組成物。
【請求項３３】
請求項23に記載の薬学的組成物であって、前記グルタチオンが、S-グルタチオンである薬学的組成物。
【請求項３４】
請求項1に記載の方法であって、前記化学結合が、ジスルフィド結合である方法。
【請求項３５】
請求項1に記載の方法であって、適用することが、少なくとも１つの放射線、超音波エネルギー、電磁気エネルギー、熱、化学エネルギー、粒子ビームエネルギー、プラズマビームエネルギー、酵素、遺伝子治療、および栄養物を含む局所的なエネルギーを適用することを含む方法。
【請求項３６】
請求項4に記載の方法であって、ヒトの目におけるジスルフィド結合の形成の可能性を減退させることを更に含む方法。
【手続補正書】
【提出日】平成16年6月3日(2004.6.3)
【手続補正１】
【補正対象書類名】特許請求の範囲
【補正対象項目名】全文
【補正方法】変更
【補正の内容】
【特許請求の範囲】
【請求項１】
栄養素および該食品組成物に機能性を付与する少なくとも１種の成分を含む食品組成物であって、ケルダール窒素×６．２５で測定した場合に乾燥重量基準で少なくとも９０ｗｔ％のタンパク質含有量を有する実質的に非変性のカノーラタンパク質単離物によって前記の少なくとも１種の成分を少なくとも部分的に置き換えることを特徴とし、前記カノーラタンパク質単離物は前記カノーラタンパク質単離物が、カノーラタンパク質ミセルの水性懸濁液から固相を沈降させること、および前記非晶質タンパク質集積物を沈降ステップからの濃縮上澄液と混合することによって形成される非晶質タンパク質集積物のブレンド物である食品組成物。
【請求項２】
前記ブレンドが乾燥形態で行われることを特徴とする、請求項１に記載の食品組成物。
【請求項３】
前記カノーラタンパク質単離物が、以下の混合物を含むことを特徴とする、請求項１に記載の食品組成物。
（１）乾燥重量基準（Ｎ×６．２５）で少なくとも９０ｗｔ％のタンパク質含有量を有し、６０〜９８ｗｔ％の７Ｓタンパク質、１〜１５ｗｔ％の１２Ｓタンパク質、０〜２５ｗｔ％の２Ｓタンパク質であるタンパク質プロフィールを示す第１カノーラタンパク質単離物、
（２）乾燥重量基準（Ｎ×６．２５）で少なくとも９０ｗｔ％のタンパク質含有量を有し、６０〜９５ｗｔ％の２Ｓタンパク質、５〜４０ｗｔ％の７Ｓタンパク質、０〜５ｗｔ％の１２Ｓタンパク質であるタンパク質プロフィールを示す第２カノーラタンパク質単離物。
【請求項４】
前記第１カノーラタンパク質単離物および前記第２カノーラタンパク質単離物が、前記ブレンド物中に約５：９５〜約９５：５の重量比率で存在する、請求項１に記載の組成物。
【請求項５】
前記第１カノーラタンパク質単離物が、カノーラタンパク質ミセルの水性懸濁液から固相を沈降させることによって形成される乾燥非晶質タンパク質集積物であり、前記第２タンパク質単離物が、前記沈降ステップからの濃縮乾固上澄である、請求項３または４に記載の組成物。
【手続補正書】
【提出日】平成16年7月23日(2004.7.23)
【手続補正１】
【補正対象書類名】特許請求の範囲
【補正対象項目名】全文
【補正方法】変更
【補正の内容】
【特許請求の範囲】
【請求項１】
インスリン様成長因子結合タンパク質5をコードする核酸分子（SEQ ID NO: 3）の開始コドン領域の核酸塩基36〜55、コード領域の核酸塩基65〜84、核酸塩基299〜361、核酸塩基503〜518、核酸塩基580〜599または核酸塩基651〜728、3'非翻訳領域の核酸塩基986〜1025、核酸塩基1186〜1205または核酸塩基1579〜1598；
インスリン様成長因子結合タンパク質5をコードする核酸分子（SEQ ID NO: 10）の核酸塩基11〜30または核酸塩基584〜603；
インスリン様成長因子結合タンパク質5をコードする核酸分子（SEQ ID NO: 11）のイントロン領域の核酸塩基4214〜4233またはイントロン／エクソン接合部領域の核酸塩基16817〜16836；または
インスリン様成長因子結合タンパク質5をコードする核酸分子（SEQ ID NO: 12）の3'非翻訳領域の核酸塩基197〜216；
を標的とする、長さ8〜50核酸塩基のアンチセンスオリゴヌクレオチドであって、前記オリゴヌクレオチドは前記領域のうちの一つと特異的にハイブリダイズし、そしてインスリン様成長因子結合タンパク質5の発現を阻害する、前記アンチセンスオリゴヌクレオチド。
【請求項２】
SEQ ID NO: 13、14、15、16、17、18、19、21、23、24、25、26、27、28、29、30、31、32、33、34、35、36、38、39、40、41、42または43を含む配列を有する、請求項1のアンチセンスオリゴヌクレオチド
【請求項３】
少なくとも一つの修飾ヌクレオシド間結合を含む、請求項1のアンチセンスオリゴヌクレオチド。
【請求項４】
修飾ヌクレオシド間結合がホスホロチオエート結合である、請求項3のアンチセンスオリゴヌクレオチド。
【請求項５】
少なくとも一つの修飾糖部分を含む、請求項1のアンチセンスオリゴヌクレオチド。
【請求項６】
修飾糖部分が、2'-o-メトキシエチル糖部分である、請求項5のアンチセンスオリゴヌクレオチド。
【請求項７】
少なくとも一つの修飾核酸塩基を含む、請求項1のアンチセンスオリゴヌクレオチド。
【請求項８】
修飾核酸塩基が5-メチルシトシンである、請求項7のアンチセンスオリゴヌクレオチド。
【請求項９】
キメラオリゴヌクレオチドである、請求項1のアンチセンスオリゴヌクレオチド。
【請求項１０】
請求項1のアンチセンスオリゴヌクレオチドおよび薬学的に許容可能な担体または希釈剤を含む組成物。
【請求項１１】
さらにコロイド分散系を含む、請求項10の組成物。
【請求項１２】
細胞または組織をin vitroで請求項1のアンチセンスオリゴヌクレオチドと接触させ、それによりインスリン様成長因子結合タンパク質5の発現を阻害することを含む、細胞または組織におけるインスリン様成長因子結合タンパク質5の発現をin vitroで阻害する方法。
【請求項１３】
SEQ ID NO: 14、16、17、19、21または25からなるアンチセンスオリゴヌクレオチド。
【手続補正書】
【提出日】平成15年10月29日(2003.10.29)
【手続補正１】
【補正対象書類名】特許請求の範囲
【補正対象項目名】全文
【補正方法】変更
【補正の内容】
【特許請求の範囲】
【請求項１】
チロシナーゼもしくはその断片、チロシナーゼ類縁タンパク質1(TRP−1)もしくはその断片、及びチロシナーゼ類縁タンパク質2(TRP−2)もしくはその断片を含んで成る、単離されたトリハイブリッド黒色腫抗原。
【請求項２】
前記トリハイブリッド黒色腫抗原が、配列番号:8もしくはその断片、配列番号:10もしくはその断片、又は配列番号:12もしくはその断片を含んで成る、請求項1に記載の単離されたトリハイブリッド黒色腫抗原。
【請求項３】
請求項1又は2に記載の単離されたトリハイブリッド黒色腫抗原及び医薬的に許容できる担体を含んで成る組成物。
【請求項４】
請求項１又は2に記載のトリハイブリッド黒色腫抗原をコードする単離されたDNA。
【請求項５】
前記トリハイブリッド黒色腫抗原が、配列番号:7もしくはその断片、配列番号:9もしくはその断片、又は配列番号:11もしくはその断片を含んで成る、請求項4に記載の単離されたDNA。
【請求項６】
請求項4又は5に記載の単離されたDNA及び医薬的に許容できる担体を含んで成る組成物。
【請求項７】
請求項4もしくは5に記載のDNAを含んで成る、クローニングもしくは発現ベクター。
【請求項８】
請求項7に記載のクローニング又は発現ベクターを含んで成る宿主細胞。
【請求項９】
請求項１又は2に記載の有効な量の単離されたトリハイブリッド黒色腫抗原を含んで成る、動物において黒色腫抗原に対する免疫反応を誘発する為の医薬組成物。
【請求項１０】
前記医薬組成物がIFNγの生産を誘導する、請求項9に記載の医薬組成物。
【請求項１１】
前記医薬組成物がCD8T細胞の生産を誘導する、請求項9に記載の医薬組成物。
【請求項１２】
前記医薬組成物が、メラノソーム抗原に対して特異的な細胞傷害性リンパ球の生産を誘導する、請求項9に記載の医薬組成物。
【請求項１３】
前記医薬組成物が、メラノソーム抗原を特異的に結合する抗体の生産を誘導する、請求項9に記載の医薬組成物。
【請求項１４】
前記医薬組成物が、動物をワクチン化する為に用いられる、請求項9に記載の医薬組成物。
【請求項１５】
前記医薬組成物が、動物における過剰なメラノソーム抗原活性に関連した症状を治療する為に用いられる、請求項9〜14のいずれか1項に記載の医薬組成物。
【請求項１６】
前記症状が腫瘍である、請求項15に記載の医薬組成物。
【請求項１７】
前記腫瘍が悪性腫瘍である、請求項16に記載の医薬組成物。
【請求項１８】
前記悪性腫瘍が、癌種、肉腫、白血病、又はリンパ腫である、請求項17に記載の医薬組成物。
【請求項１９】
前記医薬組成物が腫瘍の転移を予防する、請求項16に記載の医薬組成物。
【請求項２０】
前記症状が前癌病変である、請求項15に記載の医薬組成物。
【請求項２１】
前記前癌病変が腺腫又は異形成病変である、請求項20に記載の医薬組成物。
【請求項２２】
前記トリハイブリッド黒色腫抗原がアジュバントとの組み合わせにおいて投与される、請求項9〜21のいずれか１項に記載の医薬組成物。
【請求項２３】
前記動物が哺乳動物である、請求項9〜22のいずれか1項に記載の医薬組成物。
【請求項２４】
前記動物がヒトである、請求項23に記載の医薬組成物。
【手続補正書】
【提出日】平成16年12月13日(2004.12.13)
【手続補正１】
【補正対象書類名】特許請求の範囲
【補正対象項目名】全文
【補正方法】変更
【補正の内容】
【特許請求の範囲】
【請求項１】
配列番号１の配列；配列番号１の配列においてＴがＵでもあり得る配列；および配列番号１の配列に相補的な核酸配列；よりなる群から選択される単離ポリヌクレオチド。
【手続補正書】
【提出日】平成16年10月21日(2004.10.21)
【手続補正１】
【補正対象書類名】特許請求の範囲
【補正対象項目名】全文
【補正方法】変更
【補正の内容】
【特許請求の範囲】
【請求項１】
以下のものを含む複数の生細胞を保持する装置：
（ａ）複数のアドレス指定可能な少なくとも部分的に光学的に透明なウエル；
（ｂ）個々の生細胞を前記ウエル中に及び／又は前記ウエルの外に移動させるように構成された細胞移動器；及び
（ｃ）少なくとも一つの試薬を前記ウエル中に計量分配するための試薬ディスペンサー。
【請求項２】
それぞれの前記ウエルが１個だけの前記生細胞を保持するように構成されている請求項１に記載の装置。
【請求項３】
少なくとも一つの評価器をさらに含み、前記評価器が他の細胞及び／又は特定の生物学的活性物質との接触の存在又は不存在の結果として生じ得る細胞の形態学、細胞の活性、細胞の生理学、細胞の代謝、細胞の親和性及び活力及び変化からなる群から選択される少なくとも一つの細胞特性を評価するように構成されている請求項１に記載の装置。
【請求項４】
着色画像獲得装置、蛍光顕微鏡及び電子顕微鏡画像獲得装置からなる群から選択される少なくとも一つの画像獲得装置をさらに含む請求項１に記載の装置。
【請求項５】
前記ウエルを隣接するウエルから分離するための壁をさらに含む請求項１に記載の装置。
【請求項６】
前記ウエルはガラス、実質的に透明なポリマー、ポリカーボネート、ナイロン、積層又は非積層ＰＴＦＥ、酢酸セルロース、ガラス繊維及びセルロースエステルからなる群から選択される材料から作られる請求項１に記載の装置。
【請求項７】
前記ウエルが作られている材料が多孔性及び／又は有孔性であり、前記材料を通した流体の流れを可能にする請求項１に記載の装置。
【請求項８】
前記ウエルの上方にカバープレートを支持するように構成された複数のスペーサをさらに含む請求項１に記載の装置。
【請求項９】
少なくとも一つの電極をさらに含み、前記少なくとも一つの電極が前記ウエル内に見出される前記生細胞の位置を変化させるために電場を誘導するように構成されている請求項１に記載の装置。
【請求項１０】
生細胞を保持するためのチップ装置であって、前記装置が上部表面に配置された個別にアドレス指定可能な複数のウエルを有するキャリア及び下部表面を含み、前記それぞれのウエルが少なくとも一つの生細胞を保持するように構成されているものにおいて、以下の五つの特性のうち少なくとも一つの特性を有することを特徴とする装置：
（ａ）前記ウエルの少なくとも一つが前記上部表面上の少なくとも二つの溝の交差点によって規定されること；
（ｂ）前記キャリアが前記キャリアの一つの場所から前記キャリアの別の場所へと流体を移送するように構成されている移送溝を与えられていること；
（ｃ）前記ウエルの少なくとも一つと関連する少なくとも一つのウエル微小電極を有すること；
（ｄ）一つの生細胞及び前記上部表面及び前記下部表面の少なくとも一つを保持するように構成されている前記ウエルが実質的に透明であること；及び
（ｅ）前記ウエルが並置されていること。
【請求項１１】
前記ウエルの寸法が約２００ミクロン未満である請求項１０に記載の装置。
【請求項１２】
前記キャリアの一つの場所から前記キャリアの別の場所へと流体を移送するように構成されている前記上部表面上の少なくとも一つの移送溝をさらに含む請求項１０に記載の装置。
【請求項１３】
前記ウエルが閉鎖容器であり、その寸法が特定種類の細胞全体が前記閉鎖容器内に実質的に含有されることができるような寸法であり、前記閉鎖容器はそれぞれ前記上部表面に開口を有し、前記開口が特定寸法の細胞の通過を可能とする寸法の第一横断面によって規定される請求項１０に記載の装置。
【請求項１４】
前記上部表面が実質的に透明であり、前記閉鎖容器内に含まれる細胞の前記上部表面を通した観察を可能とし、前記下部表面が実質的に透明でない請求項１３に記載の装置。
【請求項１５】
二つの隣接する閉鎖容器の二つの開口のリムの間の距離が前記第一横断面の最小寸法の２０％未満である請求項１３に記載の装置。
【請求項１６】
前記ウエルが並置されている請求項１０に記載の装置。
【請求項１７】
前記ウエルを少なくとも七つ有し、前記七つのウエルの間の全間隙面積が前記七つのウエルの面積の合計の約０．３５以下である請求項１６に記載の装置。
【請求項１８】
前記ウエルが六角形に詰め込まれている請求項１６に記載の装置。
【請求項１９】
前記ウエルと関連する少なくとも一つのウエル微小電極をさらに含む請求項１０に記載の装置。
【請求項２０】
独立して活性化可能な複数のウエル微小電極を含み、前記複数のウエル微小電極のそれぞれ一つは異なる前記ウエルに関連されている請求項１９に記載の装置。
【請求項２１】
前記ウエル微小電極がバイオセンサー電極である請求項１９に記載の装置。
【請求項２２】
前記上記表面から突出する少なくとも一つの壁をさらに含み、前記少なくとも一つの壁は、前記壁の上部縁の点が平面を規定する前記上部表面の少なくとも一つの領域のまわりに境界線を描く請求項２２に記載の装置。
【請求項２３】
カバースリップをさらに含み、前記カバースリップ及び前記キャリアは前記カバースリップが前記上部表面に実質的に平行に前記上部表面の上方に除去可能に置かれることを可能にするように構成される請求項１０に記載の装置。
【請求項２４】
前記上部表面に実質的に平行に流体の流れを生成させるように構成された流れ生成器をさらに含む請求項１０に記載の装置。
【請求項２５】
以下のステップを含む、生細胞を回転させる方法：
（ａ）少なくとも二つの微小電極を準備し；そして
（ｂ）前記少なくとも二つの微小電極から細胞に同時に力を付与して細胞にトルクを生成させる。
【請求項２６】
以下のステップを繰り返し含む、生細胞を撹拌する方法：
（ａ）第一微小電極を用いて第一方向を有する第一の力を生成させ；そして
（ｂ）第二微小電極を用いて前記第一方向とは実質的に反対の第二方向を有する第二の力を生成させる。
【請求項２７】
以下のステップを含む、生細胞を研究する方法：
（ａ）一群の細胞を準備し；
（ｂ）前記一群の細胞から細胞を単離し、前記単離された細胞のそれぞれは個別のウエルに入れられ、前記ウエルのそれぞれは個別にアドレス指定可能であり；
（ｃ）前記単離された細胞の少なくとも一つを溶解させ、前記溶解物が前記個別のウエル中に残存するようにし；そして
（ｄ）前記溶解物を調査する。
【請求項２８】
以下のステップを含む、細胞を選択する方法：
ａ．一群の細胞を準備し；
ｂ．前記一群の細胞から細胞を単離し、前記単離された細胞のそれぞれは個別のウエルに入れられ、前記ウエルのそれぞれは力生成器を与えられており；
ｃ．それぞれの単離された細胞を検査し；そして
ｄ．少なくとも一つの基準を満たす単離された細胞を選択する。
【請求項２９】
以下のステップをさらに含む請求項２８に記載の方法：
ｅ．前記一群の細胞から前記選択された細胞を分離する。
【請求項３０】
前記分離ステップが以下のステップを含む請求項２９に記載の方法：
（ｉ）前記選択された細胞を含むウエル中の前記力生成器を用いて力を生成させて前記選択された細胞をそれぞれの前記ウエルから間隔をおかせ；そして
（ｉｉ）流体の流れを付与して前記選択された細胞を流し去る。
【手続補正書】
【提出日】平成16年6月3日(2004.6.3)
【手続補正１】
【補正対象書類名】特許請求の範囲
【補正対象項目名】全文
【補正方法】変更
【補正の内容】
【特許請求の範囲】
【請求項１】
ネスチン遺伝子の第２イントロンのエンハンサーエレメント、もしくは該エンハンサーエレメントの機能的な断片と作動可能に結合された、条件的に誘導可能な癌遺伝子をコードするポリヌクレオチドを含む構築物。
【請求項２】
エレメントが、ヒトネスチン遺伝子の第２イントロンの３’部分の７１４ｂｐもしくは３７４ｂｐいずれかのエレメントである請求項１に記載の構築物。
【請求項３】
さらに癌遺伝子のプロモーターとして働くポリヌクレオチドを含む前記請求項のいずれかに記載の構築物。
【請求項４】
プロモーターがＨＳＶ  ｔｋプロモーターである請求項３に記載の構築物。
【請求項５】
さらにテロメラーゼ複合体の触媒サブユニットを含む前記請求項のいずれかに記載の構築物。
【請求項６】
癌遺伝子がＳＶ４０大型Ｔ抗原の温度感受性変異体である請求項１に記載の構築物。
【請求項７】
癌遺伝子がｃ−ｍｙｃ癌遺伝子を含む請求項１〜５のいずれかに記載の構築物。
【請求項８】
前記請求項のいずれかに記載の構築物を含む細胞。
【請求項９】
哺乳類の未分化多能性細胞である請求項８に記載の細胞。
【請求項１０】
未分化、多能性のヒト神経上皮細胞である請求項８もしくは請求項９に記載の細胞。
【請求項１１】
治療に使用するための請求項８〜１０のいずれかに記載の細胞。
【請求項１２】
条件的に細胞を不死化させるための請求項１〜７のいずれかに記載の構築物の使用。
【請求項１３】
細胞が請求項９もしくは１０において定義される、請求項１２に記載の使用。
【請求項１４】
細胞の損失もしくは損傷によって引き起こされた疾病を治療するための移植用薬剤の製造における請求項８〜１０のいずれかに記載の細胞の使用。
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
吹き付けられる液体用の折り畳み可能なリザーバと、該リザーバから供給される液体を分配するスプレーノズルと、を備える、液体を吹き付けるスプレーガンのような装置であって、前記リザーバは、前記装置に連結可能な流体出口と、液体を前記リザーバに添加する流体入口と、を有し、前記流体入口は該流体入口を開閉する取り外し可能なクロージャを有し、前記リザーバが前記装置に連結されているときは前記クロージャに対する直接的なアクセスが可能である、装置。
【請求項２】
前記リザーバが、前記スプレーガンに供給される液体用の折り畳み可能な部分と、前記リザーバを前記スプレーガンに連結する、前記流体出口を備える取付け部分と、を備える、請求項１に記載の装置。
【請求項３】
前記取付け部分が前記流体出口を前記装置に取り外し可能に連結するように構成される、請求項２に記載の装置。
【請求項４】
前記リザーバを前記装置に取り外し可能に固定する複数の協働構造が前記取付け部分および前記装置に設けられる、請求項３に記載の装置。
【請求項５】
前記折り畳み可能な部分が液体用の可撓性容器を備え、前記取付け部分が該可撓性容器の開口を閉じるように構成された蓋を備える、請求項２に記載の装置。
【請求項６】
液体を吹き付けるスプレーノズルと、液体用の折り畳み可能なリザーバと、を備える、塗料の様な材料を吹き付けるスプレーガンであって、前記リザーバは前記スプレーガンに分離可能に連結される流体出口を有し、それによって、使用後に前記リザーバは分離され廃棄されることが可能であり、前記リザーバは流体入口をさらに有し、該流体入口は、前記リザーバが前記スプレーガンに取り付けられているときに、液体を前記リザーバに添加するために、前記流体入口に対する直接的なアクセスが可能であるように構成される、スプレーガン。
【手続補正２】
【補正対象書類名】明細書
【補正対象項目名】０１０３
【補正方法】変更
【補正の内容】
【０１０３】
さらに、図２４に示すように、リザーバがスプレーガン３０１に取り付けられ、かつスプレーガン３０１が塗料をリザーバに添加するために逆さにされたときは、開口３３０へのアクセスが、開口３３０の長手方向軸に対してある角度をなして延在する連結管３１５のずれた配置によって改善される。結果として、開口３３０はスプレーガン３０１から離れており、塗料は、リザーバがスプレーガンに取り付けられた状態で、開口３３０を通ってリザーバにより容易に導入されうる。これは、こぼれる恐れを小さくして、リザーバのより速い充填にさらに寄与する。
【手続補正３】
【補正対象書類名】明細書
【補正対象項目名】０１１７
【補正方法】変更
【補正の内容】
【０１１７】
示すように、蓋４１０’の下側の短いスカート４１３’がスリーブ４５０の一端に押し込まれて、蓋４１０’の外端をスリーブ４５０の端に配置する。スリーブ４５０の他端が内部容器４０９’の開口端に押し込まれて、内部容器４０９’の周縁部分４１２’を容器４０８’の端とスリーブ４５０の外部リップ４５０Ａとの間に閉じ込める。ロッキングカラー４１１’が外部容器４０８’とねじ込まれて係合することが可能であって、スリーブ４５０を内部容器４０９’に対して固定する。ロッキングカラー４１１’は、軸方向に延在するウェブ４５１を介して、ロッキングカラー４１１’が締められるときに別個の蓋４１０’をスリーブ４５０に圧締する、押さえカラー４５２に連結される。
【手続補正４】
【補正対象書類名】明細書
【補正対象項目名】０１１８
【補正方法】変更
【補正の内容】
【０１１８】
認識されるであろうように、内部容器４０９’および蓋４１０’がその間にスリーブ４５０の有無にかかわらず組み立てられるように、スリーブ４５０の端は内部容器４０９’および蓋４１０’と協働するように成形される。この方法で、同じ内部容器４０９’と蓋４１０’の組合せが、様々な長さのスリーブ４５０の有無にかかわらず組み立てられて、各種の様々な容積を有するリザーバを与えうる。
【手続補正書】
【提出日】平成16年5月18日(2004.5.18)
【手続補正１】
【補正対象書類名】特許請求の範囲
【補正対象項目名】全文
【補正方法】変更
【補正の内容】
【特許請求の範囲】
【請求項１】
シリンダの一端部に受けられるピストンと、
前記シリンダの反対側の端部に取外し可能に固定されたピペット先端と、
前記ピペット先端内に流体を吸引し、ピペット先端からこのようにして吸引された流体を放出するように、ストロークを選択して前記ピストンを往復動させる手段と、
前記ストロークの範囲を決めるように、手動駆動手段に動作可能に結合される互いに間隔を置いて配置された止め部材と、
前記止め部材間の間隙を変更し、それによって前記ピペット先端内に吸引され、ピペット先端から放出される流体の量を変更するモータ駆動手段と
を備える手持ち式ピペット。
【請求項２】
前記モータ駆動手段が、前記止め部材の一方に機械的に結合された駆動モータを備え、前記駆動モータは、電子駆動信号に応じて動作可能である請求項１に記載の手持ち式ピペット。
【請求項３】
さらに、言葉による命令を解読して、その結果を中央演算処理装置に出力し、それによって前記電磁駆動信号を生成する音声認識システムを備える請求項２に記載の手持ち式ピペット。
【請求項４】
前記駆動モータに結合され、前記中央演算処理装置にフィードバック信号を生成して、前記一方の止め部材の位置を示すように動作可能であるエンコーダを備える請求項３に記載の手持ち式ピペット。
【請求項５】
前記シリンダを取り囲み軸方向に移動可能なスリーブをさらに備え、そのスリーブが、前記シリンダの反対側の端部に取り外し可能に取り付けられるピペット先端によって引き込まれる位置に一方向に押されており、かつ前記シリンダからピペット先端を取り外すとき反対方向に移動させられる請求項１記載の手持ち式ピペット。
【請求項６】
反対方向に前記スリーブを弾性的に移動させるばね手段をさらに備える請求項５記載の手持ち式ピペット。
【請求項７】
さらに、前記一方向の前記スリーブの移動に対応し、前記反対方向の前記スリーブの移動を防ぐロック手段と、前記反対方向の前記スリーブの弾性的移動に対応するように前記ロック手段を解放する手動動作可能な手段とを備える請求項６に記載の手持ち式ピペット。
【請求項８】
さらに、反対方向の前記スリーブの移動速度を遅らせる空気圧手段を備える請求項６または７に記載の手持ち式ピペット。
【手続補正２】
【補正対象書類名】明細書
【補正対象項目名】００１３
【補正方法】変更
【補正の内容】
【００１３】
図２をさらに参照するとよく分かるように、ねじ４６の上端部は、回転可能な駆動カラー６０の内部溝５７に摺動可能に受けられる外側リブ５６を備えている。駆動カラー６０外部歯車６２は、モータ６６の出力シャフト上の駆動ピニオン６４と噛み合っている。
【手続補正３】
【補正対象書類名】明細書
【補正対象項目名】００１４
【補正方法】変更
【補正の内容】
【００１４】
モータ６６を作動させると、駆動カラー６０が回転させられ、リブ５６と溝５８が機械的に相互係合することにより、それに対応する回転がねじ４６に加えられる。固定したスリーブ２８の上端部３４にねじ４６をねじ係合させると、ねじが軸方向に移動し、ねじの下端部を所望の位置に設定し、主ばね４４によってねじの下端部に押し付けられているプランジャ４２とピストン４０に後部止めが形成される。
【手続補正４】
【補正対象書類名】図面
【補正対象項目名】図２
【補正方法】変更
【補正の内容】
【図２】
2005506175.tif 000001
【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【特許請求の範囲】
【請求項１】
クラッドパイプまたはチューブを形成する方法であって、
アセンブリを形成する工程であって、前記アセンブリは、クラッディング表面を有するサポートビレットと、前記サポートビレットのクラッディング表面と協働するように寸法決めされたクラッディング材料ビレットとを含み、前記クラッディング材料ビレットと前記サポートビレットのクラッディング表面との間には、接触面隙間が規定される、工程と、
前記接触面隙間を密封する工程と、
前記接触面隙間を真空にする工程と、
前記アセンブリを熱等静圧的に圧縮成形して、前記クラッディング材料ビレットから前記サポートビレットへの冶金結合を得て、複合ビレットを形成する工程と、
前記複合ビレットを高温で押し出して、前記クラッドパイプまたはチューブを形成する工程と、
を包含する、方法。
【請求項２】
前記サポートビレットは遠心鋳造によって形成される、請求項１に記載の方法。
【請求項３】
前記クラッディング材料は耐食合金であり、前記サポート材料は炭素材料または低合金鋼材料である、請求項１に記載の方法。
【請求項４】
前記クラッディング材料は耐食処理合金であり、前記サポート材料は炭素材料または低合金鋼材料である、請求項１に記載の方法。
【請求項５】
前記クラッディング材料は円筒形である、請求項１に記載の方法。
【請求項６】
前記クラッディング表面は前記サポートビレットの外面である、請求項１に記載の方法。
【請求項７】
前記クラッディング表面は前記サポートビレットの内面である、請求項１に記載の方法。
【請求項８】
前記サポートビレットは、内面および外面の２つのクラッディング面を有する、請求項１に記載の方法。
【請求項９】
前記サポートビレットの反対側の前記クラッディング材料ビレット側に密封ビレットを配置して、前記密封ビレットと前記サポートビレットとの間に前記クラッディング材料ビレットを配置してから、前記接触面隙間を真空状態にする工程を含む、請求項１に記載の方法。
【請求項１０】
請求項１に記載の方法によって形成された製品。
【手続補正書】
【提出日】平成16年7月1日(2004.7.1)
【手続補正１】
【補正対象書類名】特許請求の範囲
【補正対象項目名】請求項１
【補正方法】変更
【補正の内容】
【請求項１】
要素的表面幾何形状を定義することにより、既存の自由形態もしくは更に複雑な表面幾何形状を近似する段階と、
上記要素的表面幾何形状を利用して、塗装されるべき平面と見なされる所定個数の所謂る仮想表面を確立する段階と、
最終的に上記各仮想表面を利用して、上記各仮想表面に対してひとつの当該処理手順が割当てられるという処理手順、好適には実験的に定義された処理手順を確立する段階とを備える、
当該処理のための工具を用いる部品表面処理の準備を自動的に行う方法。
【手続補正２】
【補正対象書類名】特許請求の範囲
【補正対象項目名】請求項２
【補正方法】変更
【補正の内容】
【請求項２】
前記要素的表面幾何形状は所謂るパッチから成り、且つ、前記仮想表面は所定数の所謂る主要フェースを備える、請求項１記載の方法。
【手続補正３】
【補正対象書類名】明細書
【補正対象項目名】００１０
【補正方法】変更
【補正の内容】
【００１０】
この目的は、要素的表面幾何形状(elementary surface geometry)を定義することにより、既存の自由形態もしくは更に複雑な表面幾何形状を近似する段階と、上記要素的表面幾何形状を利用して、塗装されるべき平面と見なされる所定個数の所謂る仮想表面を確立する段階と、最終的に上記各仮想表面を利用して、上記各仮想表面に対してひとつの当該処理手順が割当てられるという処理手順、好適には実験的に定義された処理手順を確立する段階とを備える、当該処理のための工具を用いる部品表面処理の準備を自動的に行う方法により実現される。部品の表面の好適な処理方法は塗装手順であり、その場合に上記工具はロボット上に取付けられた塗装工具である。
【手続補正４】
【補正対象書類名】明細書
【補正対象項目名】００１１
【補正方法】変更
【補正の内容】
【００１１】
上記方法の可能的特徴は、処理ラインの各々を制御して、該処理ラインの近傍において見出される各パッチ(patch)の延長部分を確立する段階を備え、この確立は、制御されつつある各処理ラインが連続的に近接して位置された各パッチのみに沿い延在するのか、または、不連続的に且つ近接せずに位置された各パッチに沿い延在するのかを確立するために利用される。
【手続補正書】
【提出日】平成16年6月23日(2004.6.23)
【手続補正１】
【補正対象書類名】特許請求の範囲
【補正対象項目名】請求項１
【補正方法】変更
【補正の内容】
【請求項１】
リザーバ内の液体を浄化する装置であって、該装置が、それぞれ送り路（４）及び戻り路（５）を介してリザーバ内の液体と連通するようにされた流入口（２）及び流出口（３）を有する真空チャンバ（１）、戻り路（５）内に配置されたポンプ（６）、真空チャンバに接続された真空ポンプ（７）、並びに複数のフィルタエレメントを具えるフィルタカートリッジ（８）で、各エレメントが中央通路と連通する流れ側とフィルタカートリッジ（８）の円周に開口する流れ側とを有するフィルタカートリッジ（８）を含み、フィルタカートリッジ（８）が真空チャンバ内に配置されており、フィルタカートリッジ（８）の中央通路が真空チャンバの流入口（２）と連通している装置において、真空チャンバ（１）内の液体泡レベルを監視し、かつ容器（２５）からの気体の供給のための均圧弁（１０）を制御するために、真空チャンバ（１）内に第１センサ（９）を設けることを特徴とする装置。
【手続補正２】
【補正対象書類名】特許請求の範囲
【補正対象項目名】請求項２
【補正方法】変更
【補正の内容】
【請求項２】
真空ポンプ（７）が容器（２５）に接続されており、該容器（２５）が真空チャンバ（１）から排出された気体を蓄積するようにされており、さらに該容器（２５）が導管を介して均圧弁（１０）及び圧力制御弁（２７）と連通している請求項１に記載の装置。
【手続補正３】
【補正対象書類名】特許請求の範囲
【補正対象項目名】請求項３
【補正方法】変更
【補正の内容】
【請求項３】
容器（２５）が不活性気体を含む請求項１に記載の装置。
【手続補正書】
【提出日】平成17年1月28日(2005.1.28)
【手続補正１】
【補正対象書類名】特許請求の範囲
【補正対象項目名】全文
【補正方法】変更
【補正の内容】
【特許請求の範囲】
【請求項１】
血管内に配置されたガイドワイヤに固定されたフィルターを操作するシステムであって、
基端部、先端部および外部シャフトルーメンを構成する壁を有する外部シャフトと、
ガイドワイヤに外部シャフトの壁を通過させて、ガイドワイヤを部分的にシャフトルーメン内に配置させるために、外部シャフトの壁を貫通する基端ガイドワイヤポートと、
基端ガイドワイヤポートの先端方向の外部シャフトに取り付けられたストッパ機構とからなるシステム。
【請求項２】
ストッパ機構は外部シャフトに固定されたストッパ部材を有する請求項１に記載のシステム。
【請求項３】
ストッパ部材は先端ガイドワイヤポートを構成する請求項２に記載のシステム。
【請求項４】
ストッパ部材は口金を有する請求項２に記載のシステム。
【請求項５】
ストッパ部材は１組の把持具からなる請求項２に記載のシステム。
【請求項６】
ストッパ機構はガイドワイヤに固定されたストッパを有する請求項１に記載のシステム。
【請求項７】
ストッパ機構はガイドワイヤに対して機械的に係合するように構成される請求項１に記載のシステム。
【請求項８】
ストッパ機構はガイドワイヤに対して摩擦係合するように構成される請求項１に記載のシステム。
【請求項９】
ストッパ機構はガイドワイヤに圧縮力を加えるように構成される請求項１に記載のシステム。
【請求項１０】
血管内に配置されたガイドワイヤに固定されたフィルターを操作するシステムであって、
基端部、先端部および外部シャフトルーメンを構成する壁を有する外部シャフトと、
外部シャフトに固定されたストッパ部材およびガイドワイヤに固定されたストッパからなるストッパ機構と、
前記ストッパ部材は内径部分を有する開口部を構成することと、
前記ストッパはストッパ部材によって構成される開口部の内径部分より大きい外径部分を有することとからなるシステム。
【請求項１１】
ストッパ部材は環からなる請求項１０に記載のシステム。
【請求項１２】
ストッパ部材は口金からなる請求項１０に記載のシステム。
【請求項１３】
ストッパ部材は１組の把持具からなる請求項１０に記載のシステム。
【請求項１４】
ストッパ部材は先端合わせ面からなる請求項１０に記載のシステム。
【請求項１５】
ストッパは基端合わせ面からなる請求項１０に記載のシステム。
【請求項１６】
ストッパはストッパ部材に接触して配置するように構成される請求項１０に記載のシステム。
【請求項１７】
ストッパ部材は先端合わせ面からなり、
ストッパは基端合わせ面からなることと、
ストッパは、ストッパの基端合わせ面が、ストッパ部材の先端合わせ面に接触して配置するように構成されることとを特徴とする請求項１０に記載のシステム。
【請求項１８】
外部シャフトの壁を貫通する基端ガイドワイヤポートをさらに有する請求項１０に記載のシステム。
【請求項１９】
血管内に配置されたガイドワイヤに固定されたフィルターを操作するシステムであって、
基端部、先端部および外部シャフトルーメンを構成する壁を有する外部シャフトと、
シャフトルーメン内に摺動するように配置された内部シャフトと、
外部シャフトに固定されたグリッパーと、
同グリッパーはガイドワイヤを把持するための湾曲していない第１形状および湾曲した第２形状を有することとからなるシステム。
【請求項２０】
グリッパーは、内部シャフトおよび外部シャフト間の軸方向における相対的な移動により、グリッパーを押圧して湾曲した形状を有するように構成される請求項１９に記載のシステム。
【請求項２１】
グリッパーは、内部シャフトおよび外部シャフト間の軸方向における相対的な移動により、グリッパーがガイドワイヤを把持するように構成される請求項１９に記載のシステム。
【請求項２２】
グリッパーは１組の把持具からなる請求項１９に記載のシステム。
【請求項２３】
グリッパーは口金からなる請求項１９に記載のシステム。
【請求項２４】
血管内に配置されたガイドワイヤに固定されたフィルターを操作するシステムであって、
基端部、先端部および外部シャフトルーメンを構成する壁を有する外部シャフトと、
シャフトルーメン内に摺動するように配置された内部シャフトと、
内部シャフトに固定されたグリッパーと、
同グリッパーは、内部シャフトおよび外部シャフト間の軸方向における相対的な移動により、グリッパーがガイドワイヤを把持するように構成されることとからなるシステム。
【請求項２５】
グリッパーは１組の把持具からなる請求項２４に記載のシステム。
【請求項２６】
グリッパーは口金からなる請求項２４に記載のシステム。